【手続補正書】
【提出日】平成30年1月23日(2018.1.23)
【手続補正１】
【補正対象書類名】明細書
【補正対象項目名】発明の名称
【補正方法】変更
【補正の内容】
【発明の名称】電子機器、磁気センサ制御方法及びプログラム
【手続補正２】
【補正対象書類名】明細書
【補正対象項目名】０００１
【補正方法】変更
【補正の内容】
【０００１】
本発明は、磁気センサを備えた電子機器、磁気センサ制御方法及びプログラムに関する。
【手続補正３】
【補正対象書類名】明細書
【補正対象項目名】０００７
【補正方法】変更
【補正の内容】
【０００７】
しかしながら、上述したような携帯電子機器においては、マグネット式コネクタを接続して給電やデータの送受信を行っている期間中は、正確な方位検出が困難であるという問題を有していた。
【手続補正４】
【補正対象書類名】明細書
【補正対象項目名】０００８
【補正方法】変更
【補正の内容】
【０００８】
そこで、本発明は、給電中やデータの送受信中の誤った方位検出を防止することができる電子機器、磁気センサ制御方法及びプログラムを提供することを目的とする。
【手続補正５】
【補正対象書類名】明細書
【補正対象項目名】０００９
【補正方法】変更
【補正の内容】
【０００９】
本発明は、
電子機器であって、
前記電子機器の周辺の磁界を検出する磁気センサと、
磁石を内蔵したマグネット式コネクタを一端側に有する接続ケーブルの前記マグネット式コネクタが接続されるコネクタ接続部と、
前記コネクタ接続部と前記マグネット式コネクタとが接続されていると判定したときに、前記磁気センサにおける測定動作を停止させる制御を行うセンサ制御部と、
を有することを特徴とする。
【手続補正６】
【補正対象書類名】明細書
【補正対象項目名】００１０
【補正方法】変更
【補正の内容】
【００１０】
本発明は、
磁気センサを備えた電子機器の磁気センサ制御方法であって、
前記電子機器は、前記電子機器の周辺の磁界を検出する磁気センサと、磁石を内蔵したマグネット式コネクタを一端側に有する接続ケーブルの前記マグネット式コネクタが接続されるコネクタ接続部と、を有し、
前記コネクタ接続部と前記マグネット式コネクタとが接続されているか否かを判定し、
前記コネクタ接続部と前記マグネット式コネクタとが接続されていると判定したときに、前記磁気センサにおける測定動作を停止させる制御を行う、
ことを特徴とする。
本発明は、
プログラムであって、
電子機器の周辺の磁界を検出する磁気センサと、磁石を内蔵したマグネット式コネクタを一端側に有する接続ケーブルの前記マグネット式コネクタが接続されるコネクタ接続部と、を備えた前記電子機器のコンピュータに、
前記コネクタ接続部と前記マグネット式コネクタとが接続されていると判定したときに、前記磁気センサにおける測定動作を停止させるように制御を行うセンサ制御ステップを実行させる、
ことを特徴とする。
【手続補正７】
【補正対象書類名】明細書
【補正対象項目名】００１１
【補正方法】変更
【補正の内容】
【００１１】
本発明によれば、給電中やデータの送受信中の誤った方位検出を防止することができる。
【手続補正８】
【補正対象書類名】明細書
【補正対象項目名】００１３
【補正方法】変更
【補正の内容】
【００１３】
以下、本発明に係る電子機器、磁気センサ制御方法及びプログラムについて、実施形態を示して詳しく説明する。
＜第１の実施形態＞
（電子機器）
図１は、本発明に係る電子機器の第１の実施形態を示す概略構成図である。図１（ａ）は、電子機器の全体構成を示す概略ブロック図であり、図１（ｂ）は、電子機器の要部構成を示す詳細図である。図２は、本実施形態に係る電子機器の要部の構成例を示す詳細ブロック図である。
【手続補正９】
【補正対象書類名】明細書
【補正対象項目名】００２６
【補正方法】変更
【補正の内容】
【００２６】
（電子機器の制御方法）
次に、本実施形態に係る電子機器の制御方法（磁気センサ制御方法を含む）について、図面を参照して説明する。ここで、以下に示す電子機器の制御方法は、上述した演算処理部１６０が所定の制御プログラム及びアルゴリズムプログラムに従って処理を実行することにより実現される。
【手続補正１０】
【補正対象書類名】明細書
【補正対象項目名】００５２
【補正方法】変更
【補正の内容】
【００５２】
（電子機器の制御方法）
次に、本実施形態に係る電子機器における制御方法（磁気センサ制御方法を含む）について説明する。本実施形態においても、以下に示す電子機器の制御方法は、上述した演算処理部１６０が所定の制御プログラム及びアルゴリズムプログラムに従って処理を実行することにより実現される。
図６は、本実施形態に係る電子機器における制御方法の一例を示すフローチャートである。
【手続補正１１】
【補正対象書類名】特許請求の範囲
【補正対象項目名】全文
【補正方法】変更
【補正の内容】
【特許請求の範囲】
【請求項１】
電子機器であって、
前記電子機器の周辺の磁界を検出する磁気センサと、
磁石を内蔵したマグネット式コネクタを一端側に有する接続ケーブルの前記マグネット式コネクタが接続されるコネクタ接続部と、
前記コネクタ接続部と前記マグネット式コネクタとが接続されていると判定したときに、前記磁気センサにおける測定動作を停止させる制御を行うセンサ制御部と、
を有することを特徴とする電子機器。
【請求項２】
前記接続ケーブルを介して供給される所定の電圧を検知する検知部を有し、
前記センサ制御部は、前記検知部による前記所定の電圧の検知結果に基づいて、前記コネクタ接続部と前記マグネット式コネクタとが接続されているか否かを判定することを特徴とする請求項１に記載の電子機器。
【請求項３】
前記接続ケーブルを介して供給される所定の電圧を検知する検知部と、前記コネクタ接続部と前記コネクタとが物理的に接続されたときに動作して、前記コネクタ接続部と前記コネクタとの物理的な接続状態を検出するスイッチ部と、を有し、
前記センサ制御部は、前記スイッチ部による検出結果と、前記検知部による前記所定の電圧の検知結果とに基づいて、前記コネクタ接続部と前記マグネット式コネクタとが接続されているか否かを判定することを特徴とする請求項１に記載の電子機器。
【請求項４】
前記接続ケーブルは他端側に外部機器が接続可能とされており、
前記所定の電圧は、前記外部機器から供給される電圧であり、
前記センサ制御部は、前記スイッチ部により前記コネクタ接続部と前記コネクタとが物理的に接続されていることが検知されていて、且つ、前記検知部により前記所定の電圧が検知されていないとき、前記コネクタ接続部と前記マグネット式コネクタとは物理的に接続されているが、前記接続ケーブルの他端側に前記外部機器が接続されていない、あるいは、前記接続ケーブルの他端側に前記外部機器が接続されているが、前記外部機器がオフ状態になっていると判定し、この判定結果を報知することを特徴とする請求項３に記載の電子機器。
【請求項５】
前記電子機器は、二次電池を有し、
前記センサ制御部は、前記二次電池を充電するために、前記外部機器から前記接続ケーブルを介して供給される充電電圧を、前記所定の電圧として検出することを特徴とする請求項２乃至４のいずれかに記載の電子機器。
【請求項６】
前記電子機器は、前記外部機器との間で所定のデータを送受信するためのインターフェース部を有し、
前記センサ制御部は、前記接続ケーブルを介して前記所定のデータを送受信する際に、前記データに重畳される供給電圧を、前記所定の電圧として検出することを特徴とする請求項２乃至４のいずれかに記載の電子機器。
【請求項７】
前記センサ制御部は、前記磁気センサに供給される駆動用電力を遮断する、又は、前記磁気センサをスリープモードに移行させることにより、前記磁気センサにおける測定動作を停止させることを特徴とする請求項１乃至６のいずれかに記載の電子機器。
【請求項８】
磁気センサを備えた電子機器の磁気センサ制御方法であって、
前記電子機器は、前記電子機器の周辺の磁界を検出する磁気センサと、磁石を内蔵したマグネット式コネクタを一端側に有する接続ケーブルの前記マグネット式コネクタが接続されるコネクタ接続部と、を有し、
前記コネクタ接続部と前記マグネット式コネクタとが接続されているか否かを判定し、
前記コネクタ接続部と前記マグネット式コネクタとが接続されていると判定したときに、前記磁気センサにおける測定動作を停止させる制御を行う、
ことを特徴とする磁気センサ制御方法。
【請求項９】
電子機器の周辺の磁界を検出する磁気センサと、磁石を内蔵したマグネット式コネクタを一端側に有する接続ケーブルの前記マグネット式コネクタが接続されるコネクタ接続部と、を備えた前記電子機器のコンピュータに、
前記コネクタ接続部と前記マグネット式コネクタとが接続されていると判定したときに、前記磁気センサにおける測定動作を停止させるように制御を行うセンサ制御ステップを実行させるためのプログラム。